(57)【要約】      （修正有）【課題】吊り下げたり固定したりして壁部や空間に配置することが可能で、その際の取り付けの自由度が高く、机上や床面にも安定させて置くことが可能な扇風機を提供する。【解決手段】扇風機Ｆは、中空体であるケース１と、ケース１の正面と背面に取り付けられ、通気が可能なファンガード１４と、該ファンガード１４の中心に設けられたモーター１７と、モーター１７の回転軸に取り付けられているファンブレード１８と、モーター１７に電気を供給するリチウムイオン電池と、ケースに外方へ向けて十字形状に設けられた塑性変形が可能なワイヤアーム２、２ａ、２ｃとを備える。【選択図】図６
0003221620.tif 000002
【実用新案登録請求の範囲】
【請求項１】
正面部に設けられた正面開口部と背面部に設けられた背面開口部とを有する中空体であるケースと、
前記正面開口部と前記背面開口部を覆うように、前記ケースに取り付けられ、通気が可能なファンガードと、
該ファンガードの何れか一つの中心に設けられたモーターと、
該モーターの回転軸に取り付けられて、前記ファンガードの内部に収めてあるファンブレードと、
前記ケースに設けてあり、前記モーターに電気を供給する電源部と、
前記ケースの所要箇所に、外方へ向けて設けられた、所要の強度を以て塑性変形が可能なアームとを備える
扇風機。
【請求項２】
前記アームが、前記ケースの外周面に、ほぼ縦横方向の十字形を形成して配置されている
請求項１記載の扇風機。
【請求項３】
前記アームが、それぞれ金属製の棒体をＵ字状に曲げた形状である
請求項１又は２記載の扇風機。
【請求項４】
前記電源部がリチウムイオン電池であり、前記モーターが、前記リチウムイオン電池の定格電圧３．７Ｖを電気回路による制御で５Ｖ、７Ｖ、９Ｖと三段階に昇圧することで回転数を切り替える仕様である
請求項１、２又は３記載の扇風機。
【考案の詳細な説明】
【技術分野】
【０００１】
本考案は、扇風機に関するものである。更に詳しくは、吊り下げたり固定したりして壁部や空間に配置することが可能で、その際の取り付けの自由度が高く、机上や床面にも安定させて置くことが可能な扇風機に関する。
【背景技術】
【０００２】
近年、扇風機は、使用する場所が多様化し、小型で携帯が可能なものや、机上に置くことができるものがある。また、電源としては、通常の商用電源のコンセントに直接接続するタイプだけではなく、出先でも使用可能なように、例えばパーソナルコンピュータ等に備えてあるＵＳＢ端子に接続したり、或いはＵＳＢ端子から充電できたりするものもある。
【０００３】
そのような扇風機としては、例えば、非特許文献１に開示されたものがある。この扇風機は、小型につくられており、机上に置くことができると共に、商用電源の他、ＵＳＢ端子を備えたパーソナルコンピュータ等を電源とすることができる。
【先行技術文献】
【非特許文献】
【０００４】
【非特許文献１】シロカ株式会社、”ＵＳＢ卓上扇風機”[2019年3月25日検索]、インターネット＜URL:https://www.siroca.co.jp/living/deskfan/index.html＞
【考案の概要】
【考案が解決しようとする課題】
【０００５】
しかしながら、非特許文献１の扇風機は、机上、或いは床面等の平面上には置くことができるようになってはいるが、例えば吊り下げる等して壁部に配置することや、空間部に配置することは難しかった。
【０００６】
本考案は、以上の点に鑑みて創案されたものであり、吊り下げたり固定したりして壁部や空間に配置することが可能で、その際の取り付けの自由度が高く、机上や床面にも安定させて置くことが可能な扇風機を提供することを目的とする。
【課題を解決するための手段】
【０００７】
（１）上記目的を達成するために、本考案は、正面部に設けられた正面開口部と背面部に設けられた背面開口部とを有する中空体であるケースと、前記正面開口部と前記背面開口部を覆うように、前記ケースに取り付けられ、通気が可能なファンガードと、該ファンガードの何れか一つの中心に設けられたモーターと、該モーターの回転軸に取り付けられて、前記ファンガードの内部に収めてあるファンブレードと、前記ケースに設けてあり、前記モーターに電気を供給する電源部と、前記ケースの所要箇所に、外方へ向けて設けられた、所要の強度を以て塑性変形が可能なアームとを備える扇風機である。
【０００８】
本考案の扇風機は、必要であれば、アームを任意の形状に塑性変形させることにより、アームを壁部にある突出した部分や穴等に引っ掛けたり固定したりして、扇風機を壁部に配置することが簡単にできる。
【０００９】
或いは、紐を張って、適宜変形させたアームを紐に掛けて吊り下げる等して扇風機を空中に配置することも可能である。このように、アームを、扇風機が取り付けられる側の構造に対応できる形状に変形させることにより、様々な箇所に扇風機を配置することができる。
【００１０】
なお、アームは塑性変形が可能な材で形成されているので、所要の強さの外力が作用しない限り、その変形した形状から他の形状に更に変形することはなく、上記変形後の形状、及び機能性もそのまま維持することができる。
【００１１】
また、アームを塑性変形させ、スタンドとしての機能性を持たせることにより、机上や床面に安定させて置くことが可能になる。このように、本考案の扇風機は、使用形態を簡単に変えることができるので、現在の扇風機の使用場所の多様化に充分に対応することができる。
【００１２】
扇風機を任意の箇所に配置した後、電源部からモーターに電気を供給してモーターを作動させることにより、ファンブレードが回転し、ファンブレードで発生した風がファンガードを通り抜けて、正面方向へ送られる。
【００１３】
なお、アームは、単一の材料で形成してもよいし、複数種類の材料を複合して形成してもよい。なお、後者では、複数種類の材料の全部が上記と同様の性質を有していてもよいし、少なくとも一つの同様の性質を有する材料があれば、同様の性質を有していない材料が混在していてもよい。
【００１４】
（２）本考案の扇風機は、前記アームが、前記ケースの外周面に、ほぼ縦横方向の十字形に形成して配置されている構成とすることもできる。
【００１５】
この場合は、扇風機を吊設する際には、重力方向と縦方向のアームの方向が重なるため、扇風機を設置する際のバランスが取りやすい。また、アームの方向が縦横方向の十字形であるので、スタンドとしての機能性を持たせるように変形させる作業がやりやすく、バランスもとりやすい。
【００１６】
（３）本考案の扇風機は、前記アームが、それぞれ金属製の棒体をＵ字状に曲げた形状である構成としてもよい。
【００１７】
この場合は、各アームの先部を丸めることが自然にでき、尖った部分や他に引っ掛かるような部分が形成されにくいので、安全性が高く、使用者は扇風機の取り扱いがしやすくなる。
【００１８】
（４）本考案の扇風機は、前記電源部がリチウムイオン電池であり、前記モーターが、前記リチウムイオン電池の定格電圧３．７Ｖを電気回路による制御で５Ｖ、７Ｖ、９Ｖと三段階に昇圧することで回転数を切り替える仕様である構成としてもよい。
【００１９】
この仕様によれば、例えば、電源スイッチを繰り返し操作することにより、「電源ＯＮ：風量１（５Ｖ）」⇒「風量２（７Ｖ）」⇒「風量３（９Ｖ）」⇒「電源ＯＦＦ」⇒「電源ＯＮ：風量１（５Ｖ）」・・・のように切り替えることで、簡単な回路構成で、風量の段階的な切り替えが可能になる。
【考案の効果】
【００２０】
本考案は、吊り下げたり固定したりして壁部や空間に配置することが可能で、その際の取り付けの自由度が高く、机上や床面にも安定させて置くことが可能な扇風機を提供することができる。
【図面の簡単な説明】
【００２１】
【図１】本考案に係る扇風機の一実施の形態を示す正面側斜視図である。
【図２】図１に示す扇風機の背面側斜視図である。
【図３】図１に示す扇風機の正面図である。
【図４】図３におけるＡ−Ａ拡大断面図である。
【図５】扇風機を壁格子材に掛けて吊設した使用状態を示す説明図である。
【図６】扇風機を机上に置いた使用状態を示す説明図である。
【考案を実施するための形態】
【００２２】
本考案を図面に示した実施の形態に基づき詳細に説明する。
図１乃至図４を参照する。
【００２３】
扇風機Ｆは、プラスチック製で中空体であるケース１を有している。ケース１は、正面視で長方形状であり、互いに着脱が可能な正面部材１１と背面部材１２を合わせて形成されている。
【００２４】
また、ケース１は、背面部材１２を膨らませて形成することで、長手方向の一端部（図２で下部）が他の部分より厚くなるよう形成されており、その内部には電源部であるリチウムイオン電池Ｂが保持可能な電池ホルダー１９が設けられている（図４参照）。ケース１の電池ホルダー１９側面には、充電のためのＵＳＢ端子１９０が設けられている。
【００２５】
正面部材１１には、円形の開口部１３が部材を貫通して設けられている。正面部材１１には、開口部１３を覆うようにファンガード１４が設けられている。ファンガード１４は、円形の中心板１４０と、互いに同様に湾曲した多数のフィン１４１で構成され、円滑な通風が可能である（図１参照）。
【００２６】
背面部材１２には、円形の開口部１５が部材を貫通して設けられている。背面部材１２には、開口部１５を覆うようにファンガード１６が設けられている。ファンガード１６は、円形の中心板１６０と、互いに同様に湾曲した多数のフィン１６１で構成され、円滑な通風が可能である（図１参照）。
【００２７】
ファンガード１６のフィン１６１は、ケース１の背面方向へ膨らむように形成されており、ファンガード１６の内包に、後述するファンブレード１８を回転可能に収容するための空間（符号省略）を確保している。
【００２８】
また、ファンガード１６は、各フィン１６１と共にファンガード１６を構成し、リチウムイオン電池Ｂから後述するモーター１７へ通電するリード（図示省略）を通すためのリード管１６２を有している（図２参照）。
【００２９】
背面側のファンガード１６の中心板１６０の内面には、モーター１７が固定されている（図４参照）。モーター１７の回転軸（符号省略）には、ファンガード１４、１６の間の空間に位置させて、ファンブレード１８が取り付けられている。
【００３０】
また、モーター１７は、上記リチウムイオン電池Ｂの３．７Ｖを電気回路による制御で５Ｖ、７Ｖ、９Ｖと三段階に昇圧することで回転数を切り替えることができる仕様であり、例えば５Ｖで３７８０ｒｐｍ、７Ｖで５１００ｒｐｍ、９Ｖでは６１００ｒｐｍの回転数が得られる。なお、この段階的な昇圧の段数及び電圧の差は、特に限定されるものではなく、適宜設定が可能である。
【００３１】
この切り替え、即ち、「電源ＯＮ：風量１（５Ｖ）」⇒「風量２（７Ｖ）」⇒「風量３（９Ｖ）」⇒「電源ＯＦＦ」⇒「電源ＯＮ：風量１（５Ｖ）」・・・の切り替えは、正面部材１１に設けられている電源スイッチ１０を繰り返し押すことで行われる。
【００３２】
ファンブレード１８は、七枚羽根の仕様であり、回転時の風圧変動が少ない、言わば滑らかな、或いは柔らかな、心地よい風が得られる。また、七枚羽根の仕様では、ファンブレード１８自体は小型であるが、充分な風量が得られる。
【００３３】
ケース１の外周面には、四辺のほぼ中央に一箇所ずつ、合計四本のワイヤアーム２、２ａ、２ｂ、２ｃが設けられている。ケース１の各長辺に設けられているワイヤアーム２、２ａは、芯材の金属ワイヤを樹脂製のカバーで覆った構造で、これをＵ字状に曲げた形状である。
【００３４】
また、ケース１の各短辺に設けられているワイヤアーム２ｂ、２ｃは、同じく芯材の金属ワイヤを樹脂製のカバーで覆った構造で、これをＵ字状に曲げた形状であり、ワイヤアーム２、２ａよりやや長く形成されている。なお、ワイヤアーム２、２ａは互いに同じ長さであり、ワイヤアーム２ｂ、２ｃも互いに同じ長さである。
【００３５】
ワイヤアーム２、２ａ、２ｂ、２ｃは、金属製であるので、任意の形状に塑性変形が可能である。従って、所要の強さの外力が作用しない限り、ある形状から他の形状に変形することはなく、変形後も、その形状、及び機能性をそのまま維持することができる。
【００３６】
なお、扇風機Ｆは、上記構造を有すると共に、小型軽量に作られており、各部の寸法は次の通りである。即ち、ケース１の正面視での長辺の長さが１１０ｍｍ、短辺の長さが９０ｍｍ、電池ホルダー１９部分の厚さが２４ｍｍである。
【００３７】
また、開口部１３、１５の内径が７３ｍｍ、ファンブレード１８の回転直径が６０ｍｍ、ワイヤアーム２、２ａの張り出し長さが１１５ｍｍ、ワイヤアーム２ｂ、２ｃの張り出し長さが７５ｍｍ、各ワイヤアームの太さが４ｍｍである。なお、これら各部の寸法は、上記値に限定されるものではなく、適宜設定が可能である。
【００３８】
（作用）
図５、図６を参照して、扇風機Ｆの使用方法、及び作用を説明する。
本考案の扇風機Ｆは、必要であれば、ワイヤアーム２、２ａ、２ｂ、２ｃを任意の形状に塑性変形させることにより、ワイヤアーム２、２ａ、２ｂ、２ｃを壁部にある突出した部分や穴等に引っ掛ける等して、壁部に配置することが簡単にできる。
【００３９】
例えば、予め壁部、或いは空間部に図５に示すような壁格子材３を配しておき、扇風機Ｆのワイヤアーム２ｂをフック状に曲げて、壁格子材３の横材３０に掛けることで、扇風機Ｆを配置することができる。
【００４０】
なお、ワイヤアーム２ｂは塑性変形するので、所要の強さの外力が作用しない限り、その変形した形状から他の形状に更に変形することはなく、上記ワイヤアーム２ｂの変形後の形状、及び機能性もそのまま維持することができる。
【００４１】
また、図６に示すように、ワイヤアーム２、２ａ、２ｃをケース１の背面方向へ折り曲げて、ワイヤアーム２ｃを支持部とするスタンドとしての機能性を持たせることにより、机上や床面に安定させて置くことが可能になる。なお、両側のワイヤアーム２、２ａは、両サイド方向への転倒を防ぐ部材となる。
【００４２】
このように、本考案の扇風機Ｆは、様々な箇所に対応して、使用形態を簡単に変えることが可能で有り、様々な箇所に扇風機を配置することができるので、現在の扇風機の使用場所の多様化に充分に対応することができる。
【００４３】
本明細書で使用している用語と表現は、あくまでも説明上のものであって、なんら限定的なものではなく、本明細書に記述された特徴およびその一部と等価の用語や表現を除外する意図はない。また、本考案の技術思想の範囲内で、種々の変形が可能であるということは言うまでもない。
【符号の説明】
【００４４】
Ｆ  扇風機
１  ケース
１０  電源スイッチ
１１  正面部材
１２  背面部材
１３  開口部
１４  ファンガード
１４０  中心板
１４１  フィン
１５  開口部
１６  ファンガード
１６０  中心板
１６１  フィン
１６２  リード管
１７  モーター
１８  ファンブレード
１９  電池ホルダー
１９０  ＵＳＢ端子
２、２ａ、２ｂ、２ｃ  ワイヤアーム
Ｂ  リチウムイオン電池
【図１】
0003221620.tif 000003
【図２】
0003221620.tif 000004
【図３】
0003221620.tif 000005
【図４】
0003221620.tif 000006
【図５】
0003221620.tif 000007
【図６】
0003221620.tif 000008